(57)【要約】【課題】記録媒体に情報を記録する情報記録装置において好適な記録用クロック信号を発生する記録用クロック信号発生回路を提供する。【解決手段】ノイズ成分を除去したラジアルプッシュプル信号Ｓｐｐに基づいて、ウォブル信号にプリピット信号が重畳した複合信号Ｓｐｃを生成する。複合信号Ｓｐｃに基づいて、時間変動を除去した位相θ０のウォブル信号ＳＷＢおよびプリピット信号ＳＰＤを生成し、位相を比較し、位相差θｅに対応する位相調整信号ＳＣＮＴを生成する。位相差θｅの履歴を保持し平均値θｒ生成させ、位相差θｅと平均値θｒとを比較し、位相差θｅが（θｒ±Ｗ）の範囲内にある場合のみウォブル信号ＳＷＢの位相θ０を位相差θｅだけ移相し、プリピット信号ＳＰＤに同期した位相θ１のウォブル信号ＳＷＢを生成する。【選択図】　図３
2004046924.tif 000002
【特許請求の範囲】
【請求項１】
ウォブリングした情報記録用トラックとプリピットとが形成された記録媒体に、情報を記録する情報記録装置における記録用クロック信号発生装置であって、
ウォブル信号を検出するウォブル信号検出手段と、
プリピット信号を検出するプリピット信号検出手段と、
前記ウォブル信号の位相と前記プリピット信号の位相とを比較して、位相差を出力する位相比較手段と、
前記位相差が所定の範囲内である場合のみ、前記位相差に基づいて前記ウォブル信号を移相させる移相手段と、
前記移相されたウォブル信号に基づいて記録用クロック信号を発生するクロック信号発生手段と、
を備えることを特徴とする記録用クロック信号発生装置。
【請求項２】
前記位相差がこの位相差の履歴に対して設定された閾値幅の範囲内である場合に、前記移相手段を制御する制御手段を備える
ことを特徴とする請求項１記載の記録用クロック信号発生装置。
【請求項３】
前記制御手段は、前記位相差の履歴を保持する履歴保持手段と、入力される前記位相差と前記履歴保持手段に保持されている履歴とを比較する位相差比較手段とを備える
ことを特徴とする請求項２記載の記録用クロック信号発生装置。
【請求項４】
前記履歴保持手段は、保持している前記位相差の履歴の平均値を出力する
ことを特徴とする請求項３記載の記録用クロック信号発生装置。
【請求項５】
前記位相差比較手段は、前記位相差の履歴に対する閾値幅が設定され、前記位相差がこの閾値幅の範囲内である場合のみ、前記移相手段に出力する制御信号をハイレベルにする
ことを特徴とする請求項３記載の記録用クロック信号発生装置。
【請求項６】
前記位相差がこの位相差に対して設定された固定幅の範囲内である場合に、前記移相手段を制御する制御手段を備える
ことを特徴とする請求項１記載の記録用クロック信号発生装置。
【請求項７】
ウォブリングした情報記録用トラックとプリピットとが形成された記録媒体に、情報を記録する際の記録用クロック信号発生方法であって、
ウォブル信号を検出するウォブル信号検出工程と、
プリピット信号を検出するプリピット信号検出工程と、
前記ウォブル信号の位相と前記プリピット信号の位相とを比較して、位相差を出力する位相比較工程と、
前記位相差が所定の範囲内である場合のみ、前記位相差に基づいて前記ウォブル信号を移相させる移相工程と、
前記移相されたウォブル信号に基づいて記録用クロック信号を発生するクロック信号発生工程と、
を有することを特徴とする記録用クロック信号発生方法。
【発明の詳細な説明】
【０００１】
【発明の属する技術分野】
本発明は、記録媒体に情報を記録する情報記録装置における記録用クロック信号発生装置およびその方法に関する。
【０００２】
【従来技術】
一般に、ＤＶＤ−Ｒ（Ｄｉｇｉｔａｌ　Ｖｅｒｓａｔｉｌｅ　Ｄｉｓｃ−Ｒｅｃｏｒｄａｂｌｅ）には、グルーブトラックが揺動（ウォブリング）され、そのグルーブトラックの間に、ランドプリピットと呼ばれるアドレスピットが形成されている。このような記録媒体に情報を記録する情報記録装置は、記録する情報のシンクパターンをランドプリピットから検出されたプリピット信号に同期するように記録する。すなわち、情報記録装置は、プリピット信号がシンクフレームに含まれる１４Ｔの同期情報の中央に位置するように、記録に用いるクロック信号の位相を補正する。この精度は非常に高いため、情報記録装置は、ウォブル信号のみではなく、プリピット信号を用いることでクロック信号の位相を補正する必要がある。このような高精度の補正動作においては、プリピット信号の検出タイミングが非常に重要である。
【０００３】
【発明が解決しようとする課題】
しかしながら、記録媒体の記録面上に塵埃や傷などによる欠陥（ディフェクト）が存在する場合、このディフェクトによってプリピット信号が誤検出されてしまうおそれがある。これにより、クロック信号は、この誤検出されたプリピット信号が１４Ｔの同期情報の中央に位置するように補正されるため、乱れてしまうという問題が一例として挙げられる。
【０００４】
そこで、本発明は、上述の実情に鑑みて提案されたものであり、記録媒体に情報を記録する情報記録装置において好適な記録用クロック信号を発生する記録用クロック信号発生装置およびその方法を提供することを目的とする。
【０００５】
【課題を解決するための手段】
請求項１に記載の発明は、ウォブリングした情報記録用トラックとプリピットとが形成された記録媒体に、情報を記録する情報記録装置における記録用クロック信号発生装置であって、ウォブル信号を検出するウォブル信号検出手段と、プリピット信号を検出するプリピット信号検出手段と、前記ウォブル信号の位相と前記プリピット信号の位相とを比較して位相差を出力する位相比較手段と、前記位相差が所定の範囲内である場合のみ前記位相差に基づいて前記ウォブル信号を移相させる移相手段と、前記移相されたウォブル信号に基づいて記録用クロック信号を発生するクロック信号発生手段と、を備えることを特徴とする記録用クロック信号発生装置である。
【０００６】
請求項７に記載の発明は、ウォブリングした情報記録用トラックとプリピットとが形成された記録媒体に、情報を記録する際の記録用クロック信号発生方法であって、ウォブル信号を検出するウォブル信号検出工程と、プリピット信号を検出するプリピット信号検出工程と、前記ウォブル信号の位相と前記プリピット信号の位相とを比較して位相差を出力する位相比較工程と、前記位相差が所定の範囲内である場合のみ前記位相差に基づいて前記ウォブル信号を移相させる移相工程と、前記移相されたウォブル信号に基づいて記録用クロック信号を発生するクロック信号発生工程と、を有することを特徴とする記録用クロック信号発生方法である。
【０００７】
【発明の実施の形態】
以下に、本発明の一実施の形態について図面を用いて説明する。
【０００８】
まず、本発明の一実施の形態における情報記録装置が情報を記録する記録媒体について説明する。図１に記録媒体の一例とされるＤＶＤ−Ｒ（Ｄｉｇｉｔａｌ　Ｖｅｒｓａｔｉｌｅ　Ｄｉｓｃ　−　Ｒｅｃｏｒｄａｂｌｅ）の構造を示す。
【０００９】
図１において、ＤＶＤ−Ｒ１０は、１回のみ情報の記録、すなわち書き込みが可能な色素型ＤＶＤ−Ｒである。そして、ＤＶＤ−Ｒ１０は、金蒸着膜１１と、色素膜１２と、保護膜１３と、を有している。金蒸着膜１１は、記録された情報を読み取って再生する際にレーザビームなどの光ビーム１５を反射させる。色素膜１２は、金蒸着膜１１の表面側に層状に設けられた情報記録層として情報を記録する。保護膜１３は、色素膜１２の表面側に層状に設けられ色素膜１２などを保護する。
【００１０】
さらに、ＤＶＤ−Ｒ１０には、情報記録用トラックとしてのグルーブトラック１７と、ガイド用トラックとしてのランドトラック１８と、プリピット１９と、が設けられている。グルーブトラック１７は、情報を記録するトラックで、周方向に螺旋状でかつ周方向に波形状に形成、すなわちウォブリング（Ｗｏｂｂｌｉｎｇ）されている。このグルーブトラック１７の波形は、ＤＶＤ−Ｒ１０の回転速度に対応する周波数に設計されている。ランドトラック１８は、グルーブトラック１７に再生光あるいは記録光としての光ビーム１５を誘導するためのもので、螺旋状のグルーブトラック１７間に形成される。プリピット１９は、ランドトラック１８にプリ情報に対応して形成されている。
【００１１】
そして、詳細は後述するが、情報記録装置がＤＶＤ−Ｒ１０に画像データや音楽データなどの情報を記録する際には、グルーブトラック１７のウォブリング周波数ｆ０を抽出し、ＤＶＤ−Ｒ１０を所定の回転速度で回転制御するとともに、プリピット１９を検出することによりあらかじめプリ情報を取得する。この取得したプリ情報に基づいて、記録光としての光ビーム１５の最適出力などが設定されるとともに、情報を記録すべきＤＶＤ−Ｒ１０上の位置を示すアドレス情報が取得される。そして、取得したアドレス情報に基づいて、対応するグルーブトラック１７の記録位置に情報が記録される。
【００１２】
この情報の記録の際、情報記録装置は、光ビーム１５をその中心がグルーブトラック１７の渦巻き方向に対する幅方向の略中心と一致するように照射する。この光ビーム１５の照射により、情報記録装置は、記録する情報に対応する情報ピットをグルーブトラック１７上に形成し、情報を記録する。
【００１３】
なお、光ビーム１５の照射は、一部がランドトラック１８に照射されるように設定される。情報記録装置は、このランドトラック１８に照射された光ビーム１５の一部の反射光を用い、例えばプッシュプル法により、プリピット１９からプリピット信号を検出することでプリ情報を取得するとともに、グルーブトラック１７からウォブル信号を抽出してＤＶＤ−Ｒ１０の回転に同期した記録用クロック信号を取得する。このプッシュプル法は、例えば、ＤＶＤ−Ｒ１０の回転方向であるグルーブトラック１７の渦巻き方向に略平行な分割線で分割された光検出器を用いて反射光を検出する、いわゆるラジアルプッシュプル方式である。
【００１４】
次に、図２を用いて、情報の記録フォーマットについて説明する。図２（ａ）に情報の記録フォーマットを示し、図２（ｂ）にグルーブトラック１７のウォブリング状態（グルーブトラック１７の平面図）と矢印で模式的に示したプリピット１９が形成される位置との関係を示している。
【００１５】
ＤＶＤ−Ｒ１０に記録される情報は、あらかじめ情報単位としてのシンクフレーム毎に分割される。また、２６個のシンクフレームにより１つのレコーディングセクタが構成され、１６個のレコーディングセクタにより１つのエラーコレクティングコード（Ｅｒｒｏｒ　Ｃｏｒｒｅｃｔｉｎｇ　Ｃｏｄｅ：ＥＣＣ）ブロックが構成される。なお、１つのシンクフレームは、情報を記録する際の記録フォーマットにより規定されるピット間隔に対応する単位長さ（以下、Ｔと称する。）の１４８８倍（１４８８Ｔ）の長さを有している。また、１つのシンクフレームの先頭の１４Ｔの長さの部分には、シンクフレーム毎の同期をとるための同期情報ＳＹが構成されている。
【００１６】
また、ＤＶＤ−Ｒ１０に記録されるプリ情報は、記録される情報のシンクフレーム毎に記録される。ここで、プリピット１９によりＤＶＤ−Ｒ１０にプリ情報が記録される場合、記録される情報における各シンクフレームの同期情報ＳＹが記録される領域に隣接するランドトラック１８上には、プリ情報における同期信号を示す１つのプリピット１９が形成されている。また、同期情報ＳＹ以外のシンクフレーム内の前半部分に隣接するランドトラック１８上には、記録すべきプリ情報の内容を示す２つまたは１つのプリピット１９が形成されている。なお、同期情報ＳＹ以外のシンクフレームの前半部分については、記録すべきプリ情報の内容によってプリピット１９が形成されない場合もある。
【００１７】
そして、一のレコーディングセクタにおいては、偶数番目のシンクフレーム（以下、ＥＶＥＮフレームと称する。）のみにプリピット１９が形成されてプリ情報が記録される。すなわち、図２において、図中実線矢印で示すようにＥＶＥＮフレームにプリピット１９が形成された場合、このＥＶＥＮフレームに隣接する奇数番目のシンクフレーム（以下、ＯＤＤフレームと称する。）には図中点線矢印で示すようにプリピット１９が形成されない。一のＥＶＥＮフレームとそれに続くＯＤＤフレームとにおける各プリピット（図２中Ｂ０，Ｂ１，Ｂ２で示す）１９の有無は、この一のＥＶＥＮフレームがレコーディングセクタの先頭であるか否か、および、この一のＥＶＥＮフレームとそれに続くＯＤＤフレームとに記録すべき情報の内容に対応して設定される。
【００１８】
具体的には、ＥＶＥＮフレームにプリピット１９が形成される場合、レコーディングセクタの先頭のシンクフレームにおいては、全てのプリピット（図２中Ｂ０，Ｂ１，Ｂ２）１９が形成される。レコーディングセクタの先頭以外のシンクフレームにおいては、これらシンクフレームに記録すべきプリ情報が「１」の場合にはプリピットＢ０，Ｂ２のみが形成され、記録すべきプリ情報が「０」の場合にはプリピットＢ０，Ｂ１のみが形成される。また、ＯＤＤフレームにプリピット１９が形成される場合、レコーディングセクタの先頭のシンクフレームにおいては、プリピットＢ０，Ｂ１のみが形成される。レコーディングセクタの先頭以外のシンクフレームにおいては、上記ＥＶＥＮフレームの場合と同様である。
【００１９】
なお、プリピット１９をＥＶＥＮフレームおよびＯＤＤフレームのいずれのシンクフレームに形成するかは、隣接するランドトラック１８上に先行して形成されたプリピット１９の位置に依存して決定される。すなわち、プリピット１９は、通常ＥＶＥＮフレームに形成されるが、先行して形成された隣接するランドトラック１８上のプリピット１９とＤＶＤ−Ｒ１０のディスクの径方向で近接する場合には、ＯＤＤフレームにプリピット１９が形成される。このことにより、隣接するランドトラック１８の位置には、プリピット１９が存在しなくなるため、プリピット１９の検出の際にクロストークによる影響を低減できる。
【００２０】
一方、グルーブトラック１７は、全ての領域に亘って一定のウォブリング周波数ｆ０でウォブリングされている、すなわち波形状に形成されている。このウォブリング周波数ｆ０は、１つのシンクフレーム内に８波分のウォブル信号が入る周波数である。すなわち、１８６Ｔ（１４８８Ｔ／８）がウォブリング周波数ｆ０の１波分（１ウォブル）に相当する。そして、この一定のウォブリング周波数ｆ０を抽出することにより、ＤＶＤ−Ｒ１０の回転制御のための信号が検出される。
【００２１】
なお、プリピット１９とウォブル信号との位相関係は、一定となっている。プリピットＢ０は、シンクフレームの開始位置から所定の位置、つまり図２（ｂ）に示すようなシンクフレーム最初のウォブル信号の頂点に形成される。また、プリピットＢ０から１８６Ｔ分ずつ離れてプリピットＢ１，Ｂ２が形成される。
【００２２】
以上のような構成のＤＶＤ−Ｒ１０に対して記録を行う場合、記録される情報は、ディスク上にプリフォーマットされたアドレス位置と、対応するように位置決めされる。さらに、ＤＶＤ−Ｒ／ＲＷブック（規格書）によって、ＥＶＥＮまたはＯＤＤフレーム先頭のプリピットは、記録される情報の同期情報ＳＹ（１４Ｔ幅）内に収まるように規定されている。
【００２３】
次に、本発明の一実施の形態における情報記録装置の概略構成について図３および図４を参照して説明する。図３は、情報記録装置の概略構成を示すブロック図である。図４は、記録用クロック信号発生回路の位相差判定器の構成を示すブロック図である。
【００２４】
図３において、このＤＶＤ−Ｒ１０に情報を記録する情報記録装置１００は、ピックアップ（Ｐｉｃｋ　Ｕｐ：ＰＵ）１０１と、プロセッサ（ＣＰＵ）１０２と、プリピット信号デコーダ１０３と、スピンドルモータ１０４と、スピンドルドライバ１０５と、基準クロック発生器１０６と、第１の位相比較器１０７と、インターフェース１０８と、レーザ駆動回路１１１と、パワー制御回路１１２と、エンコーダ１１３と、再生増幅器１２１と、デコーダ１２２と、記録用クロック信号発生回路２００と、を備えている。
【００２５】
ピックアップ１０１は、図示しないレーザダイオード、偏光ビームスプリッタ、対物レンズ、光検出器などを有している。このピックアップ１０１には、レーザ駆動回路１１１が接続されている。そして、ピックアップ１０１は、情報の記録の際にレーザ駆動回路１１１から供給され、記録する情報に基づいたレーザ駆動信号に応じて変化する出射出力で光ビーム１５をＤＶＤ−Ｒ１０の情報記録面に照射し、情報を記録する。
【００２６】
また、ピックアップ１０１は、一定の出射出力である所定の読取出力で光ビーム１５をＤＶＤ−Ｒ１０の情報記録面に照射し、その反射光を光検出器で受光する。この受光した反射光を電気信号に変換し、例えばラジアルプッシュプル方式に基づく演算処理により、プリピット１９のプリピット信号およびグルーブトラック１７のウォブル信号情報などに対応した検出信号ＳＤＴを生成して再生増幅器１２１へ出力する。
【００２７】
レーザ駆動回路１１１には、パワー制御回路１１２が接続されている。そして、レーザ駆動回路１１１は、パワー制御回路１１２の制御に基づいてピックアップ１０１のレーザダイオードを駆動制御する。すなわち、レーザ駆動回路１１１は、パワー制御回路１１２から出力される記録する情報に対応した記録信号ＳＤに応じた出射出力でピックアップ１０１のレーザダイオードから光ビーム１５を出射させるためのレーザ駆動信号をレーザダイオードに出力し、レーザダイオードの駆動制御をする。
【００２８】
パワー制御回路１１２には、エンコーダ１１３および記録用クロック信号発生回路２００が接続されている。そして、パワー制御回路１１２は、記録用クロック信号発生回路２００から出力される記録用クロック信号ＳＣＲに基づいて、エンコーダ１１３から出力される変調信号ＳＲＥの波形変換、いわゆるライトストラテジ処理を実施し、レーザ駆動回路１１１に出力する記録信号ＳＤを生成する。
【００２９】
エンコーダ１１３には、ＣＰＵ１０２と記録用クロック信号発生回路２００が接続されている。そして、エンコーダ１１３は、記録用クロック信号発生回路２００から出力される記録用クロック信号ＳＣＲをタイミング信号として取得し、ＥＣＣ処理、８／１６変調処理ならびにスクランブル処理を実施する。そして、８／１６変調処理により生成する変調信号ＳＲＥをパワー制御回路１１２に出力する。
【００３０】
再生増幅器１２１は、ピックアップ１０１から出力されたプリピット１９のプリピット信号およびグルーブトラック１７のウォブル信号などに対応する検出信号ＳＤＴを増幅する。そして、再生増幅器１２１は、プリピット１９のプリピット信号とグルーブトラック１７のウォブル信号とを含むラジアルプッシュプル信号Ｓｐｐを記録用クロック信号発生回路２００に出力する。また、再生増幅器１２１は、ＤＶＤ−Ｒ１０に記録された情報を読み取る際には、すでに記録されている情報に対応する増幅信号Ｓｐをデコーダ１２２に出力する。
【００３１】
デコーダ１２２は、再生増幅器１２１から入力される増幅信号Ｓｐに対して８／１６復調、および、デインターリーブを実施し、増幅信号Ｓｐをデコードして復調信号ＳＤＭを生成し、ＣＰＵ１０２へ出力する。
【００３２】
ＣＰＵ１０２は、情報の記録動作の際、プリピット信号デコーダ１０３から出力されるプリ情報に基づいてアドレス情報を取得する。そして、ＣＰＵ１０２は、アドレス情報に対応するＤＶＤ−Ｒ１０上の位置に情報を記録するための情報記録装置１００全体の制御をする。また、ＣＰＵ１０２は、情報を読み取って再生する際、デコーダ１２２から出力される復調信号ＳＤＭに基づいてＤＶＤ−Ｒ１０に記録されている情報を取得し、この取得した情報を図示しない外部のホストコンピュータなどに出力するための情報記録装置１００全体の制御をする。
【００３３】
プリピット信号デコーダ１０３は、記録用クロック信号発生回路２００から出力されるプリピット信号ＳＰＤに基づいて、ＤＶＤ−Ｒ１０上のアドレス情報を含むプリ情報を復号する。そして、復号にて得られたプリ情報をＣＰＵ１０２に出力する。
【００３４】
スピンドルモータ１０４は、ＤＶＤ−Ｒ１０が装着される図示しない回転子に接続され、ＤＶＤ−Ｒ１０を回転させる。
【００３５】
スピンドルドライバ１０５は、スピンドルモータ１０４に回転制御信号を出力し、ＤＶＤ−Ｒ１０が所定の回転速度で回転するようにスピンドルモータ１０４を駆動制御する。
【００３６】
基準クロック発生器１０６は、基準クロック信号ＳＲＥＦを出力する。この基準クロック信号ＳＲＥＦは、ＤＶＤ−Ｒ１０の回転速度の基準周波数成分に対応する信号である。
【００３７】
第１の位相比較器１０７は、基準クロック発生器１０６から出力される基準クロック信号ＳＲＥＦと、記録用クロック信号発生回路２００から出力されるウォブル信号ＳＷＢとを位相比較し、その差信号を回転制御信号としてスピンドルドライバ１０５を介してスピンドルモータ１０４に供給させる。
【００３８】
インターフェース１０８は、ＣＰＵ１０２の制御の下、図示しないホストコンピュータから送信される記録する情報ＳＲＲを、情報記録装置１００に取り込むためのインターフェース動作をする。そして、インターフェース１０８は、取得した情報をＣＰＵ１０２を介してエンコーダ１１３に出力させる。
【００３９】
また、記録用クロック信号発生回路２００は、バンドパスフィルタ（Ｂａｎｄ　Ｐａｓｓ　Ｆｉｌｔｅｒ：ＢＰＦ）２０１と、ウォブル信号検出手段としてのウォブル信号検出器２０２と、ＰＬＬ（Ｐｈａｓｅ　Ｌｏｃｋｅｄ　Ｌｏｏｐ）回路であるウォブルＰＬＬ回路２１０と、プリピット信号検出手段としてのプリピット（Ｌａｎｄ　Ｐｒｅ−Ｐｉｔ：ＬＰＰ）信号検出器２０３と、位相比較手段としての第２の位相比較器２０４と、移相手段としての移相器２０５と、制御手段としての位相差判定器２２０と、クロック信号発生手段としての記録クロック生成ＰＬＬ回路２３０と、を備えている。
【００４０】
ＢＰＦ２０１は、再生増幅器１２１から出力されるラジアルプッシュプル信号Ｓｐｐに含まれるノイズ成分を除去する。そして、ＢＰＦ２０１は、ウォブル信号の所定位置、例えば最大振幅位置でプリピット信号が重畳された複合信号Ｓｐｃを、ウォブル信号検出器２０２とＬＰＰ信号検出器２０３とにそれぞれ出力する。
【００４１】
ウォブル信号検出器２０２は、ＢＰＦ２０１から出力される複合信号Ｓｐｃを所定の基準値と比較する。そして、ウォブル信号検出器２０２は、複合信号Ｓｐｃの振幅レベルが基準値よりも大きくなる期間のパルス信号をウォブル信号ＳＷＢとして生成し、第１の位相比較器１０７およびウォブルＰＬＬ回路２１０に出力する。
【００４２】
ウォブルＰＬＬ回路２１０は、第３の位相比較器２１１と、第１のローパスフィルタ（Ｌｏｗ　Ｐａｓｓ　Ｆｉｌｔｅｒ：ＬＰＦ）２１２と、第１の電圧制御発振器（Ｖｏｌｔａｇｅ−Ｃｏｎｔｒｏｌｌｅｄ　Ｏｓｃｉｌｌａｔｏｒ：ＶＣＯ）２１３と、第１の分周器２１４と、を備えている。ウォブルＰＬＬ回路２１０では、第３の位相比較器２１１がウォブル信号検出器２０２から出力されるウォブル信号ＳＷＢと第１のＶＣＯ２１３の自励発振で生成され第１の分周器２１４を介して分周された比較信号との位相比較を行って、位相差に応じた位相電圧を出力し、第１のＬＰＦ２１２が位相電圧を直流化して制御電圧を第１のＶＣＯ２１３に出力し、第１のＶＣＯ２１３が制御電圧をもとに発振周波数の調整を行うことで、ウォブル信号ＳＷＢとの調相動作を行う。これにより、ウォブルＰＬＬ回路２１０は、時間変動を除去したウォブル信号ＳＷＢ（位相θ０）を移相器２０５および第２の位相比較器２０４に出力する。
【００４３】
ＬＰＰ信号検出器２０３は、ＢＰＦ２０１から出力される複合信号Ｓｐｃを所定の基準値と比較する。そして、ＬＰＰ信号検出器２０３は、複合信号Ｓｐｃの振幅レベルが基準値よりも大きくなる期間、すなわちプリピット１９が存在する期間のパルス信号をプリピット信号ＳＰＤとして生成し、プリピット信号デコーダ１０３および第２の位相比較器２０４に出力する。
【００４４】
第２の位相比較器２０４は、ウォブルＰＬＬ回路２１０から出力されるウォブル信号ＳＷＢと、ＬＰＰ信号検出器２０３から出力されるプリピット信号ＳＰＤとの位相を比較する。そして、第２の位相比較器２０４は、位相差θｅを検出し、この位相差θｅに対応する位相調整信号ＳＣＮＴを移相器２０５および位相差判定器２２０に出力する。
【００４５】
移相器２０５は、クロストーク分の変動を除去するために、ウォブルＰＬＬ回路２１０から出力されるウォブル信号ＳＷＢの位相θ０を、第２の位相比較器２０４から出力される位相調整信号ＳＣＮＴに基づく位相差θｅによって増減させる。これにより、移相器２０５は、プリピット信号ＳＰＤに同期した位相θ１のウォブル信号ＳＷＢを記録クロック生成ＰＬＬ回路２３０に出力する。なお、移相器２０５は、ウォブル信号ＳＷＢとプリピット信号ＳＰＤとの位相を第２の位相比較器２０４で比較した結果である位相差θｅに対応する位相調整信号ＳＣＮＴによって制御される。また、移相器２０５は、別の制御入力を有し、位相差判定器２２０からの制御入力信号ＥＮがＨレベルであると認識した場合のみ、移相動作を有効となるように構成されている。
【００４６】
位相差判定器２２０は、図４に示すように、位相差履歴保持回路２２１と、ウィンドコンパレータ２２２とを備えている。位相差履歴保持回路２２１は、第２の位相比較器２０４から出力される位相差θｅに対応する位相調整信号ＳＣＮＴを適宜履歴として保持し、例えば過去数サンプル分の履歴の平均値θｒを示す履歴信号をウィンドコンパレータ２２２に出力するフィルタにより構成される。ウィンドコンパレータ２２２は、第２の位相比較器２０４からの位相調整信号ＳＣＮＴと位相差履歴保持回路２２１からの履歴信号を入力し、位相差θｅとその履歴の平均値θｒとを比較する。ここで、ウィンドコンパレータ２２２は、ＣＰＵ１０２によって位相差θｅの履歴の平均値θｒに対する閾値幅Ｗが設定される。そして、ウィンドコンパレータ２２２は、位相差θｅが（θｒ±Ｗ）の範囲内にある場合に、移相器２０５に出力する制御入力信号ＥＮをＨレベルとする。なお、ウィンドコンパレータ２２２は、ＣＰＵ１０２によって位相差θｅの履歴の平均値θｒに対する固定幅が設定されるようにしても構わない。
【００４７】
記録クロック生成ＰＬＬ回路２３０は、第４の位相比較器２３１と、第２のＬＰＦ２３２と、第２のＶＣＯ２３３と、第２の分周器２３４と、を備えている。記録クロック生成ＰＬＬ回路２３０では、第４の位相比較器２３１が移相器２０５から出力されるプリピット信号ＳＰＤに同期した位相θ１のウォブル信号ＳＷＢと、第２のＶＣＯ２３３の自励発振で生成され第２の分周器２３４を介して分周された比較信号との位相比較を行って、位相差に応じた位相電圧を出力し、第２のＬＰＦ２３２が位相電圧を直流化して制御電圧を第２のＶＣＯ２３３に出力し、第２のＶＣＯ２３３が制御電圧をもとに発振周波数の調整を行うことで、ウォブル信号ＳＷＢとの調相動作を行う。そして、記録クロック生成ＰＬＬ回路２３０は、ウォブル信号ＳＷＢに位相同期した記録用クロック信号ＳＣＲを生成してエンコーダ１１３およびパワー制御回路１１２に出力する。
【００４８】
次に、上記情報記録装置１００の記録用クロック信号発生回路２００における処理動作について、図５および図６を参照して説明する。図５は、欠陥の影響がない通常動作時のウォブル信号ＳＷＢの位相を説明する図である。図６は、欠陥の影響があるディフェクト動作時のウォブル信号ＳＷＢの位相を説明する図である。なお、図５および図６は、説明を容易にするために連続してプリピット信号があるものとして記述する。
【００４９】
図５（ａ）および図６（ａ）に、ウォブルＰＬＬ回路２１０から出力されるウォブル信号ＳＷＢの位相θ０を実線の三角波で、移相器２０５から出力されるウォブル信号ＳＷＢの位相θ１を破線の三角波で、第２の位相比較器２０４から出力される位相調整信号ＳＣＮＴが示す位相差θｅを実線矢印で示している。また、図５（ｂ）および図６（ｂ）に、プリピット信号ＳＰＤの位置を示している。さらに、図６（ｃ）に、位相差θｅの履歴の平均値θｒと設定された閾値幅Ｗとの関係を示している。
【００５０】
まず、情報を記録するためにＤＶＤ−Ｒ１０が装着された情報記録装置１００は、ＣＰＵ１０２によりピックアップ１０１から所定の読取出力で光ビーム１５をＤＶＤ−Ｒ１０の情報記録面に照射し、その反射光を光検出器で受光し、再生増幅器１２１を介して、ＤＶＤ−Ｒ１０のプリピット１９のプリピット信号とグルーブトラック１７のウォブル信号とを含むラジアルプッシュプル信号Ｓｐｐを記録用クロック信号発生回路２００に入力させる。そして、情報記録装置１００は、記録用クロック信号発生回路２００にて、ラジアルプッシュプル信号Ｓｐｐに基づいてウォブル信号ＳＷＢに位相同期した記録用クロック信号ＳＣＲを生成し、この記録用クロック信号ＳＣＲをタイミング信号として、記録する情報に基づいたレーザ駆動信号に応じてピックアップ１０１から光ビーム１５をＤＶＤ−Ｒ１０の情報記録面に照射し、情報をグルーブトラック１７の所定位置に順次記録させる。
【００５１】
ここで、記録用クロック信号発生回路２００は、再生増幅器１２１から出力されるラジアルプッシュプル信号Ｓｐｐを、ＢＰＦ２０１でノイズ成分を除去し、ウォブル信号の所定位置にプリピット信号が重畳された複合信号Ｓｐｃをウォブル信号検出器２０２およびＬＰＰ信号検出器２０３に入力させる。そして、記録用クロック信号発生回路２００は、ウォブル信号検出器２０２で複合信号Ｓｐｃに基づいてウォブル信号ＳＷＢを生成し、ウォブルＰＬＬ回路２１０で時間変動を除去した位相θ０のウォブル信号ＳＷＢを生成する。また、記録用クロック信号発生回路２００は、ＬＰＰ信号検出器２０３で複合信号Ｓｐｃに基づいてプリピット信号ＳＰＤを生成する。
【００５２】
そして、記録用クロック信号発生回路２００は、第２の位相比較器２０４により、ウォブルＰＬＬ回路２１０から出力されるウォブル信号ＳＷＢと、ＬＰＰ信号検出器２０３から出力されるプリピット信号ＳＰＤとの位相を比較し、位相差θｅに対応する位相調整信号ＳＣＮＴを生成する。記録用クロック信号発生回路２００は、位相差判定器２２０の位相差履歴保持回路２２１で位相差θｅの履歴を保持し、その数サンプル分の平均値θｒ生成させ、ウィンドコンパレータ２２２で位相差θｅと平均値θｒとを比較して、位相差θｅが（θｒ±Ｗ）の範囲内にある場合のみＨレベルとした制御入力信号ＥＮを移相器２０５へ出力させる。
【００５３】
そして、記録用クロック信号発生回路２００は、移相器２０５への制御入力信号ＥＮがＨレベルの場合に、移相器２０５でウォブルＰＬＬ回路２１０から出力されるウォブル信号ＳＷＢの位相θ０を、第２の位相比較器２０４から出力される位相調整信号ＳＣＮＴに基づく位相差θｅだけ移相し、プリピット信号ＳＰＤに同期した位相θ１のウォブル信号ＳＷＢを生成する。すなわち、ウォブル信号ＳＷＢの位相θ０は、位相補正分とする位相差θｅだけ移相されることにより、位相θ１となる。その後、記録用クロック信号発生回路２００は、この移相器２０５で生成した位相θ１のウォブル信号ＳＷＢを記録クロック生成ＰＬＬ回路２３０に出力させ、記録クロック生成ＰＬＬ回路２３０で位相θ１のウォブル信号ＳＷＢに同期した記録用クロック信号ＳＣＲを生成する。
【００５４】
ここで、通常動作時、すなわちディフェクトの影響がない状態では、図５（ｂ）に示すように、プリピット１９を検出してプリピット信号ＳＰＤが生成されるため、位相差θｅは、図５（ａ）中の矢印で示すようになる。そして、第２の位相比較器２０４では、ウォブル信号ＳＷＢの移相θ０をこの位相差θｅだけを移相する。その結果、プリピット信号ＳＰＤすなわちプリピット信号に同期したウォブル信号ＳＷＢの位相θ１が得られる。
【００５５】
一方、ディフェクト動作時では、図６（ｂ）に示すように、ディフェクトによりプリピット信号ＳＰＤの位置がシフトし、位相差θｅは、図６（ａ）中の矢印で示すようになる。つまり、位相差θｅは、図６（ｃ）に示すように、突発的に変化することになる。この位相差θｅにより第２の位相比較器２０４を動作させると、記録クロック生成ＰＬＬ回路２３０で生成される記録用クロック信号ＳＣＲが乱れ、ＤＶＤ−Ｒ１０に通常よりずれた信号が記録されてしまう。
【００５６】
このとき、位相差判定器２２０は、それまでの位相差θｅの履歴の平均値θｒに対する閾値幅Ｗを超えたものとして、ディフェクトを検出することができる。さらに、位相差判定器２２０は、ディフェクト検出時には、Ｌレベルの制御入力信号ＥＮを移相器２０５に出力し、誤ったプリピット信号ＳＰＤによる位相差θｅでの移相動作を行わないように指示する。これにより、記録クロック生成ＰＬＬ回路２３０で生成される記録用クロック信号ＳＣＲが乱れず、ＤＶＤ−Ｒ１０に正しく記録が行われる。
【００５７】
以上詳細に説明したように、本実施の形態における情報記録装置１００は、ウォブル信号検出器２０２と、プリピット信号検出器２０３と、第２の位相比較器２０４と、移相器２０５と、記録クロック生成ＰＬＬ回路２３０とを備えることにより、ディフェクトによりプリピット信号ＳＰＤが誤検出される場合、ウォブル信号ＳＷＢの位相とプリピット信号ＳＰＤの位相とを比較しているため、確実にディフェクトを検出および保護することができる。
【００５８】
これにより、情報記録装置１００は、誤ったプリピット信号ＳＰＤによる位相差θｅでの移相動作を行わないように指示するため、プリピット信号ＳＰＤの誤検出の影響を防止でき、安定した記録用クロック信号ＳＣＲを生成することができる。
【００５９】
なお、本発明は、上述した実施の形態に限定されるものではなく、本発明の目的を達成できる範囲で以下に示される変形をも含むものである。
【００６０】
すなわち、記録媒体としては、ＤＶＤ−Ｒに限らず、ＤＶＤ−ＲＷなど、情報記録用トラックとしてのグルーブトラック１７がウォブリングされ、グルーブトラック１７の間にプリピット１９が形成されたいずれの記録媒体を適用できる。
【００６１】
そして、ウォブル信号検出器２０２で検出したウォブル信号ＳＷＢをウォブルＰＬＬ回路２１０にて処理した後にプリピット信号ＳＰＤと比較する構成について説明したが、この構成に限らず、ウォブル信号検出器２０２で検出したウォブル信号ＳＷＢとプリピット信号ＳＰＤとを比較する構成としてもよい。
【００６２】
また、プリピット信号ＳＰＤに同期したウォブル信号ＳＷＢを生成させる構成としては、移相器２０５により位相調整信号ＳＣＮＴが示す位相差θｅで移相する構成に限らず、いずれの方法でプリピット信号ＳＰＤに同期したウォブル信号ＳＷＢを生成させてもよい。
【００６３】
そして、位相調整信号ＳＣＮＴにおける位相差の異常の監視は、過去の位相調整信号ＳＣＮＴを取得して平均値を算出する履歴を利用する構成に限らず、例えば別途設定した基準値と比較させて異常を監視したり、直前の位相調整信号ＳＣＮＴとの差をモニタして位相調整信号ＳＣＮＴとの差の変化率が急激に変化するか否かにより判断するなど、いずれの方法でもできる。
【図面の簡単な説明】
【図１】本発明の一実施の形態における情報記録装置で利用されるＤＶＤ−Ｒの構造を
示す一部を切り欠いた斜視図である。
【図２】前記一実施の形態における情報記録装置で利用されるＤＶＤ−Ｒに記録される情報の記録フォーマットを説明する図である。
（ａ）：記録フォーマットを示す模式図
（ｂ）：グルーブトラックのウォブリング状態とプリピットとの関係を示す図
【図３】前記一実施の形態における情報記録装置の概略構成を示すブロック図である。
【図４】前記一実施の形態における情報記録装置を構成する位相差判定器の概略構成を
示すブロック図である。
【図５】欠陥の影響がない通常動作時のウォブル信号の位相を説明する図である。
（ａ）：ウォブル信号を移相する状況を説明する図
（ｂ）：プリピット信号の位置を示す図
【図６】欠陥の影響があるディフェクト動作時のウォブル信号の位相を説明する図である。
（ａ）：ウォブル信号を移相する状況を説明する図
（ｂ）：プリピット信号の位置を示す図
（ｃ）：位相差θｅの履歴の平均値θｒと設定された閾値幅Ｗとの関係を示す図
【符号の説明】
１０　　ＤＶＤ−Ｒ
１７　　グルーブトラック
１９　　プリピット
１００　　情報記録装置
１０２　　プロセッサ
２００　　記録用クロック信号発生回路
２０２　　ウォブル信号検出器
２０３　　ＬＰＰ信号検出器
２０４　　第２の位相比較器
２０５　　移相器
２１０　　ウォブルＰＬＬ回路
２２０　　位相差判定器
２３０　　記録クロック生成ＰＬＬ回路
【図１】
2004046924.tif 000003
【図２】
2004046924.tif 000004
【図３】
2004046924.tif 000005
【図４】
2004046924.tif 000006
【図５】
2004046924.tif 000007
【図６】
2004046924.tif 000008